(57)【特許請求の範囲】
【請求項１】
冷媒が循環して冷凍サイクルを行う冷媒回路（20）を備えた冷凍装置の異冷媒充填検出方法であって、
上記冷媒回路（20）内へ冷媒を充填する充填工程と、
上記充填工程で充填した冷媒の圧力および温度から導出した該冷媒の飽和温度特性が、予め設定された規定冷媒の飽和温度特性と同じであるかを判定する特性判定工程と、
上記特性判定工程で飽和温度特性が異なると判定されると、充填した冷媒が規定冷媒とは異なることを警告する警告工程と、
上記特性判定工程で飽和温度特性が同じであると判定されると、充填した冷媒の種類をデータ記憶部（103）に手動入力する入力工程と、
上記データ記憶部（103）に入力された種類が、予め設定された規定冷媒とは異なる所定冷媒の種類と同じである場合、冷凍装置の運転開始を強制的に禁止させる強制禁止工程とを備えている
ことを特徴とする冷凍装置の異冷媒充填検出方法。
【請求項２】
請求項１において、
上記データ記憶部に入力された種類が、予め設定された規定冷媒の種類と同じである場合、冷凍装置の運転開始を許可する信号がデータ記憶部（103）に記録される運転許可工程を備えている
ことを特徴とする冷凍装置の異冷媒充填検出方法。
【請求項３】
請求項１において、
上記特性判定工程で飽和温度特性が同じであると判定されると、作業者が、充填した冷媒の種類が予め設定された規定冷媒の種類と同じであるか否かを確認し、同じである場合に冷凍装置の運転開始を行う
ことを特徴とする冷凍装置の異冷媒充填検出方法。
【請求項４】
請求項１又は２において、
上記入力工程では、充填した冷媒の種類以外に、充填した冷媒のボンベ番号、充填した作業者の所属会社名および氏名がデータ記憶部に手動入力される
ことを特徴とする冷凍装置の異冷媒充填検出方法。
【請求項５】
請求項１乃至４の何れか１項において、
上記冷媒回路（20）によって庫内空気を温調する
ことを特徴とする冷凍装置の異冷媒充填検出方法。
【請求項６】
圧縮機（30）が接続され、冷媒が循環して冷凍サイクルを行う冷媒回路（20）を備えた冷凍装置であって、
上記冷媒回路（20）の冷媒配管内の圧力がゼロ以下になった後、上記冷媒回路（20）に充填された冷媒の圧力および温度から該冷媒の飽和温度特性を導出し、該飽和温度特性が、予め設定された規定冷媒の飽和温度特性と同じであるかを判定する特性判定部（101）と、
上記特性判定部（101）で飽和温度特性が異なると判定されると、上記冷媒回路（20）に充填された冷媒が規定冷媒とは異なることを警告する警告部（102）と、
上記特性判定部（101）で飽和温度特性が同じであると判定された場合、上記冷媒回路（20）に充填された冷媒の種類が手動入力されるデータ記憶部（103）と、
上記データ記憶部（103）に入力された種類が、予め設定された規定冷媒とは異なる所定冷媒の種類と同じである場合、上記圧縮機（30）の起動を強制的に禁止する起動禁止部（105）とを備えている
ことを特徴とする冷凍装置。
【請求項７】
請求項６において、
上記データ記憶部（103）に入力された種類が、予め設定された規定冷媒の種類と同じである場合、上記圧縮機（30）の起動を許可する信号を上記データ記憶部（103）に記録する起動許可部（104）を備えている
ことを特徴とする冷凍装置。
【請求項８】
請求項６において、
上記特性判定部（101）で飽和温度特性が同じであると判定された場合、作業者が、充填した冷媒の種類が予め設定された規定冷媒の種類と同じであるか否かを確認し、同じである場合に上記圧縮機（30）の起動開始を指示する運転開始指示部を備えている
ことを特徴とする冷凍装置。
【請求項９】
請求項６において、
上記データ記憶部（103）には、充填された冷媒の種類以外に、充填した冷媒のボン
ベ番号、充填した作業者の所属会社名および氏名が手動入力される
ことを特徴とする冷凍装置。
【請求項１０】
請求項６乃至９の何れか１項において、
上記冷媒回路（20）によって庫内空気を温調する
ことを特徴とする冷凍装置。
【発明の詳細な説明】
【技術分野】
【０００１】
本発明は、冷凍装置およびその異冷媒充填検出方法に関するものである。
【背景技術】
【０００２】
空調機や冷蔵庫など、冷媒が循環して冷凍サイクルを行う冷媒回路を備えた冷凍装置では、例えば特許文献１に開示されているように、新設や更新する際に、冷媒回路内に規定の冷媒を充填する作業が行われる。
【先行技術文献】
【特許文献】
【０００３】
【特許文献１】特開２００４−４４８７１号公報
【発明の概要】
【発明が解決しようとする課題】
【０００４】
ところで、上述したような冷凍装置における冷媒充填作業では、作業者が誤って規定冷媒とは異なる冷媒を充填するおそれがある。規定冷媒以外の冷媒が充填されると、所定の冷凍能力がでないとか、冷凍サイクルの高圧が異常上昇して冷凍装置が強制停止したりといった不具合が生じてしまう。また、冷媒の種類によっては、規定冷媒と同等の圧力特性を有するものであっても、冷凍装置との相性が合わず、最悪の場合、冷凍機器が損壊するおそれがある。
【０００５】
本発明は、かかる点に鑑みてなされたものであり、その目的は、規定冷媒と異なる冷媒が充填されたことを確実に検出し、能力低下や不具合を未然に防止する方法および冷凍装置を提供することにある。
【課題を解決するための手段】
【０００６】
第１の発明は、冷媒が循環して冷凍サイクルを行う冷媒回路（20）を備えた冷凍装置の異冷媒充填検出方法であって、上記冷媒回路（20）内へ冷媒を充填する充填工程と、上記充填工程で充填した冷媒の圧力および温度から導出した該冷媒の飽和温度特性が、予め設定された規定冷媒の飽和温度特性と同じであるかを判定する特性判定工程と、上記特性判定工程で飽和温度特性が異なると判定されると、充填した冷媒が規定冷媒とは異なることを警告する警告工程と、上記特性判定工程で飽和温度特性が同じであると判定されると、充填した冷媒の種類をデータ記憶部（103）に手動入力する入力工程と、上記データ記憶部（103）に入力された種類が、予め設定された規定冷媒とは異なる所定冷媒の種類と同じである場合、冷凍装置の運転開始を強制的に禁止させる強制禁止工程とを備えている。
【０００７】
第１の発明では、冷媒回路（20）に充填された冷媒の圧力および温度から、その冷媒の飽和温度特性が導出される。そして、導出された飽和温度特性が、規定冷媒（充填する冷媒として規定された冷媒）の飽和温度特性と異なる場合は、規定冷媒とは異なる冷媒が冷媒回路（20）に充填されたと判断して、その旨が警告される。警告が出されると、例えば、冷媒回路（20）内の冷媒を回収し、真空引きを行った後に規定冷媒を充填し直す作業が行われる。
【０００８】
また、第１の発明では、導出された飽和温度特性が規定冷媒の飽和温度特性と同じである場合、作業者は、充填した冷媒の種類をデータ記憶部（103）に入力する。次に、データ記憶部（103）に入力された冷媒の種類が規定冷媒とは異なる所定冷媒と同じである場合、冷凍装置の運転開始が強制的に禁止される。所定冷媒は、例えば、冷媒回路（20）における機器の損壊等を招くおそれのある冷媒である。
【０００９】
第２の発明は、上記第１の発明において、上記データ記憶部（103）に入力された種類が、予め設定された規定冷媒の種類と同じである場合、冷凍装置の運転開始を許可する信号がデータ記憶部（103）に記録される運転許可工程を備えている。
【００１０】
第２の発明では、データ記憶部（103）に入力された冷媒の種類が規定冷媒と同じである場合、冷凍装置の運転開始の許可信号がデータ記憶部（103）に記録される。
【００１１】
第３の発明は、上記第１の発明において、上記特性判定工程で飽和温度特性が同じであると判定されると、作業者が、充填した冷媒の種類が予め設定された規定冷媒の種類と同じであるか否かを確認し、同じである場合に冷凍装置の運転開始を行う。
【００１２】
第３の発明では、導出された飽和温度特性が規定冷媒の飽和温度特性と同じである場合、作業者は、充填した冷媒の種類が規定冷媒の種類と同じであるかを確認する。そして、種類が同じである場合に、作業者は冷凍装置を運転開始する。
【００１３】
第４の発明は、上記第１又は第２の発明において、上記入力工程では、充填した冷媒の種類以外に、充填した冷媒のボンベ番号、充填した作業者の所属会社名および氏名がデータ記憶部に手動入力される。
【００１４】
第４の発明では、導出された飽和温度特性が規定冷媒の飽和温度特性と同じである場合、作業者は、充填した冷媒の種類の他、充填した冷媒のボンベ番号、充填した作業者の所属会社名および氏名をデータ記憶部（103）に入力する。
【００１５】
第５の発明は、上記第１乃至第４の何れか１の発明において、上記冷媒回路（20）によって庫内空気を温調する冷凍装置の異冷媒充填検出方法である。
【００１６】
第５の発明では、例えばコンテナ用冷凍装置を対象としている。
【００１７】
第６の発明は、圧縮機（30）が接続され、冷媒が循環して冷凍サイクルを行う冷媒回路（20）を備えた冷凍装置であって、上記冷媒回路（20）の冷媒配管内の圧力がゼロ以下になった後、上記冷媒回路（20）に充填された冷媒の圧力および温度から該冷媒の飽和温度特性を導出し、該飽和温度特性が、予め設定された規定冷媒の飽和温度特性と同じであるかを判定する特性判定部（101）と、上記特性判定部（101）で飽和温度特性が異なると判定されると、上記冷媒回路（20）に充填された冷媒が規定冷媒とは異なることを警告する警告部（102）と、上記特性判定部（101）で飽和温度特性が同じであると判定された場合、上記冷媒回路（20）に充填された冷媒の種類が手動入力されるデータ記憶部（103）と、上記データ記憶部（103）に入力された種類が、予め設定された規定冷媒とは異なる所定冷媒の種類と同じである場合、上記圧縮機（30）の起動を強制的に禁止する起動禁止部（105）とを備えている。
【００１８】
第６の発明では、冷媒回路（20）に充填された冷媒の圧力および温度から、その冷媒の飽和温度特性が導出される。そして、導出された飽和温度特性が、規定冷媒（充填する冷媒として規定された冷媒）の飽和温度特性と異なる場合は、規定冷媒とは異なる冷媒が冷媒回路（20）に充填されたと判断して、その旨が警告される。警告が出されると、例えば、冷媒回路（20）内を真空引きして、規定冷媒を充填し直す作業が行われる。
【００１９】
また、第６の発明では、導出された飽和温度特性が規定冷媒の飽和温度特性と同じである場合、作業者は、充填した冷媒の種類をデータ記憶部（103）に入力する。データ記憶部（103）に入力された冷媒の種類が規定冷媒とは異なる所定冷媒と同じである場合、冷凍装置の運転開始が強制的に禁止される。所定冷媒は、例えば、冷媒回路（20）における機器の損壊等を招くおそれのある冷媒である。
【００２０】
第７の発明は、上記第６の発明において、上記データ記憶部（103）に入力された種類が、予め設定された規定冷媒の種類と同じである場合、上記圧縮機（30）の起動を許可する信号を上記データ記憶部（103）に記録する起動許可部（104）を備えている。
【００２１】
第７の発明では、データ記憶部（103）に入力された冷媒の種類が規定冷媒と同じである場合、圧縮機（30）の起動許可信号がデータ記憶部（103）に記録される。
【００２２】
第８の発明は、上記第６の発明において、上記特性判定部（101）で飽和温度特性が同じであると判定された場合、作業者が、充填した冷媒の種類が予め設定された規定冷媒の種類と同じであるか否かを確認し、同じである場合に上記圧縮機（30）の起動開始を指示する運転開始指示部を備えている。
【００２３】
第８の発明では、導出された飽和温度特性が規定冷媒の飽和温度特性と同じである場合、作業者は、充填した冷媒の種類が規定冷媒の種類と同じであるかを確認する。そして、種類が同じである場合に、作業者は圧縮機（30）の起動を開始する、即ち、冷凍装置が運転開始される。
【００２４】
第９の発明は、上記第６の発明において、上記データ記憶部（103）には、充填された冷媒の種類以外に、充填した冷媒のボンベ番号、充填した作業者の所属会社名および氏名が手動入力される。
【００２５】
第９の発明では、導出された飽和温度特性が規定冷媒の飽和温度特性と同じである場合、作業者は、充填した冷媒の種類の他、充填した冷媒のボンベ番号、充填した作業者の所属会社名および氏名をデータ記憶部（103）に入力する。
【００２６】
第１０の発明は、上記第６乃至第９の何れか１の発明において、上記冷媒回路（20）によって庫内空気を温調する。
【００２７】
第１０の発明では、例えばコンテナ用冷凍装置を対象としている。
【発明の効果】
【００２８】
以上のように、第１および第３の発明によれば、冷媒回路（20）内に充填された冷媒の飽和温度特性を導出し、その導出された飽和温度特性が規定冷媒の飽和温度特性と異なる場合には、警告するようにしたため、冷媒回路（20）に規定冷媒とは異なる冷媒が充填されたことを確実に検出することができる。その結果、冷凍能力の低下や高圧の異常上昇といった不具合を未然に防止することができる。よって、信頼性の高い冷凍装置を提供することができる。
【００２９】
また、第１および第４の発明によれば、冷媒回路（20）に充填された冷媒の飽和温度特性が規定冷媒の飽和温度特性と同じである場合は、充填された冷媒の種類を入力し、その入力された種類が規定冷媒以外の所定冷媒と同じである場合には、冷凍装置の運転開始を強制禁止するようにした。これにより、規定冷媒の飽和温度特性と同等の飽和温度特性を有する冷媒であっても、冷凍装置の冷凍機器と相性の良くない冷媒が充填されたことを確実に検出することができる。また、万一、作業者が冷凍装置の運転を無理やり開始しようとしても、冷凍装置の運転開始を確実に阻止することができる。その結果、冷凍機器の損壊等を未然に防止することができる。したがって、より信頼性の高い冷凍装置を提供することができる。
【００３０】
また、第２および第７の発明によれば、データ記憶部（103）に入力された種類が、予め設定された規定冷媒の種類と同じである場合、冷凍装置の運転開始（圧縮機（30）の起動開始）を許可する信号がデータ記憶部（103）に記録されるため、例えば冷媒を充填した作業者と異なる作業者が違う港で運転開始する場合でも、記録された運転開始の信号をもって確実に冷凍装置を運転させることができる。
【００３１】
また、第３および第８の発明によれば、飽和温度特性が同じであると判定されると、作業者が、充填した冷媒の種類が予め設定された規定冷媒の種類と同じであるか否かを確認し、同じである場合に冷凍装置の運転開始を行うため、冷凍能力の低下や高圧の異常上昇といった不具合を未然に且つ確実に防止することができる。
【００３２】
また、第４および第９の発明によれば、充填した冷媒の種類以外に、充填した冷媒のボンベ番号、充填した作業者の所属会社名および氏名をデータ記憶部に手動入力するようにした。そのため、万一、規定冷媒と異なる冷媒が充填されてしまった場合でも、入力された作業者の氏名等によって責任の所在を明確にすることができる。
【００３３】
また、第５および第１０の発明によれば、信頼性の高いコンテナ用の冷凍装置を提供することができる。
【図面の簡単な説明】
【００３４】
【図１】図１は、実施形態に係るコンテナ用冷凍装置およびコンテナ本体の縦断面図である。
【図２】図２は、実施形態に係るコンテナ用冷凍装置の冷媒回路図である。
【図３】図３は、異冷媒充填検出動作を示すフローチャートである。
【図４】図４は、ガス欠検知時の異冷媒充填検出動作を示すフローチャートである。
【発明を実施するための形態】
【００３５】
以下、本発明の実施形態を図面に基づいて詳細に説明する。なお、以下の実施形態は、本質的に好ましい例示であって、本発明、その適用物、あるいはその用途の範囲を制限することを意図するものではない。
【００３６】
図１に示すように、本実施形態のコンテナ用冷凍装置（10）は、海上輸送等に用いられるコンテナの庫内を冷却するものであり、本発明に係る冷凍装置を構成している。コンテナ用冷凍装置（10）は、圧縮機（30）と凝縮器（31）と蒸発器（33）とを有する冷媒回路を備え、冷凍サイクルを構成している。また、コンテナ用冷凍装置（10）は、コンテナ本体（1a）の側方の開口面を閉塞する蓋体を兼用している。
【００３７】
コンテナ用冷凍装置（10）のケーシング（13）は、コンテナ外である庫外側と、コンテナ内である庫内側とを仕切るケーシング本体（11）およびケーシング（13）の背面（庫内側）に設けられる仕切り板（14）等を備えている。
【００３８】
ケーシング本体（11）は、アルミニウム製の庫内ケーシング（11a）とＦＲＰの庫外ケーシング（11b）との二重構造に形成されている。そして、上記庫内ケーシング（11a）と庫外ケーシング（11b）との間に発泡剤よりなる断熱層（11c）が形成されている。
【００３９】
さらに、ケーシング本体（11）の下部には、庫内側に膨出した膨出部（12）が形成されている。そして、上記膨出部（12）の内部が庫外収納空間（S1）に構成される一方、上記ケーシング（13）の背面の上部には、膨出部（12）の上方に位置する庫内収納空間（S2）が形成されている。
【００４０】
庫外収納空間（S1）には、圧縮機（30）、凝縮器（31）および庫外ファン（35）が収納されると共に、電装品ボックス（図示省略）が収納される一方、庫内収納空間（S2）には、蒸発器（33）および庫内ファン（36）が取り付けられている。また、膨出部（12）と仕切り板（14）との間は、庫内空気が流れる空気通路（S3）に構成されている。該空気通路（S3）の上端は、庫内収納空間（S2）に連通する一方、下端が庫内に連通している。
【００４１】
図２に示すように、コンテナ用冷凍装置（10）は、冷媒が循環して冷凍サイクルを行う冷媒回路（20）を備えている。この冷媒回路（20）は、主回路（21）と、ホットガスバイパス回路（22）とレヒート回路（80）と過冷却回路（23）とを有している。
【００４２】
主回路（21）は、圧縮機（30）と凝縮器（31）と主膨張弁（32）と蒸発器（33）とが順に冷媒配管によって直列に接続されて構成されている。
【００４３】
圧縮機（30）は、圧縮機構を駆動するモータ（図示省略）を有している。この圧縮機（30）のモータの回転数は、インバータによって多段階に制御される。つまり、圧縮機（30）は、運転回転数が可変に構成された可変容量圧縮機である。この圧縮機（30）に接続されたインバータの回路基板は、電装品ボックスに収納されている。
【００４４】
凝縮器（31）および蒸発器（33）は、いずれもフィン・アンド・チューブ熱交換器で構成されている。凝縮器（31）は、上記のように庫外に配置されている。凝縮器（31）では、庫外の空気と冷媒とが熱交換する。蒸発器（33）は、上記のように庫内に配置されている。蒸発器（33）では、庫内の空気と冷媒とが熱交換する。また、蒸発器（33）の下方には、図１には示していないがドレンパン（37）が設けられている。ドレンパン（37）は、上側が開放された扁平な容器状に形成されている。ドレンパン（37）の内部には、蒸発器（33）から剥がれ落ちた霜や氷塊や、空気中から凝縮した結露水等が回収される。
【００４５】
主膨張弁（32）は、開度がパルスモータによって多段階に調節可能に構成されている。また、上記凝縮器（31）には、庫外ファン（35）が設けられる一方、蒸発器（33）には、庫内ファン（36）が設けられている。該庫内ファン（36）は、蒸発器（33）で冷却された冷却空気を庫内に供給するように構成されている。庫外ファン（35）および庫内ファン（36）には、それぞれ庫外ファンモータ（35a）および庫内ファンモータ（36a）が設けられている。
【００４６】
圧縮機（30）と凝縮器（31）との間の高圧ガス管（24）には、第４開閉弁（38）が設けられている。第４開閉弁（38）は、開度がパルスモータによって多段階に調節可能に構成されている。
【００４７】
凝縮器（31）と主膨張弁（32）との間の高圧液管（25）には、レシーバ（41）と第２開閉弁（49）とドライヤ（43）と過冷却熱交換器（44）とが順に設けられている。レシーバ（41）は、凝縮器（31）の下流側に設けられ、凝縮器（31）を流れた冷媒を流入させ、飽和液と飽和ガスとに分離するように構成されている。第２開閉弁（49）は、開閉自在な電磁弁で構成されている。ドライヤ（43）は、凝縮器（31）を流れた液冷媒中の水分を捕捉するように構成されている。凝縮器（31）の上流側には、主膨張弁（32）の下流側に接続される液封防止管（90）が接続されている。この液封防止管（90）には液封開閉弁（91）が設けられている。
【００４８】
過冷却熱交換器（44）は、凝縮器（31）を流れた液冷媒を冷却するものである。過冷却熱交換器（44）は、１次側通路（45）と２次側通路（46）を有している。つまり、過冷却熱交換器（44）では、１次側通路（45）を流れる冷媒と２次側通路を流れる冷媒とが熱交換する。１次側通路（45）は、主回路（21）の高圧液管（25）に接続され、２次側通路（46）は、過冷却回路（23）の過冷却分岐管（26）に接続されている。過冷却分岐管（26）の流入端は、高圧液管（25）におけるレシーバ（41）と第２開閉弁（49）の間に接続している。過冷却分岐管（26）の流出端は、圧縮機（30）の圧縮途中（中間圧力状態）の圧縮室（中間圧縮室）と接続されている。つまり、過冷却分岐管（26）は、高圧液管（25）の液冷媒の一部が分流し圧縮機（30）の中間圧縮室へ流入する通路である。過冷却分岐管（26）における２次側通路（46）の流入側には、第１開閉弁（47）と過冷却膨張弁（48）とが設けられている。第１開閉弁（47）は、開閉自在な電磁弁で構成されている。過冷却膨張弁（48）は、開度がパルスモータによって多段階に調節可能であり、冷媒を減圧する減圧機構を構成している。
【００４９】
ホットガスバイパス回路（22）は、１本の主通路（50）と、該主通路（50）から分岐する２本の分岐通路（51,52）とを有している。この２本の分岐通路（51,52）は、第１分岐通路（51）と第２分岐通路（52）という。主通路（50）の流入端は、高圧ガス管（24）における第４開閉弁（38）と圧縮機（30）の吐出側との間に接続している。主通路（50）には、第３開閉弁（53）が設けられている。第３開閉弁（53）は、開閉自在な電磁弁で構成されている。
【００５０】
第１分岐通路（51）は、一端が主通路（50）の流出端に接続され、他端が主膨張弁（32）と蒸発器（33）との間の低圧液管（27）に接続されている。同様に、第２分岐通路（52）も、一端が主通路（50）の流出端に接続され、他端が低圧液管（27）に接続されている。第２分岐通路（52）は、第１分岐通路（51）よりも長い冷媒配管で構成されている。また、第２分岐通路（52）は、ドレンパン（37）の底部に沿うように蛇行して配置されたドレンパンヒータ（54）を有している。ドレンパンヒータ（54）は、ドレンパン（37）の内部を冷媒によって加熱するように構成されている。以上にようにして、ホットガスバイパス回路（22）は、圧縮機（30）で圧縮した冷媒（圧縮機（30）から吐出された高温のガス冷媒）を蒸発器（33）へ供給するためのバイパス回路を構成している。
【００５１】
レヒート回路（80）は、レヒート通路（82）を有している。レヒート通路（82）の流入端は、高圧ガス管（24）における第４開閉弁（38）と圧縮機（30）の吐出側との間に接続している。レヒート通路（82）には、第５開閉弁（81）が設けられている。この第５開閉弁（81）は、開閉自在な電磁弁で構成されている。上記レヒート通路（82）は、レヒート熱交換器（83）とキャピラリチューブとを有している。レヒート熱交換器（83）は、除湿運転時において、流入させた吐出冷媒と、蒸発器（33）で冷却除湿させた後の空気との間で熱交換させ、該空気を加熱するものである。レヒート熱交換器（83）は、フィン・アンド・チューブ熱交換器で構成されている。キャピラリチューブは、レヒート熱交換器（83）を流出した冷媒を減圧させるものである。以上のようにして、レヒート回路（80）は、圧縮機（30）で圧縮した冷媒（圧縮機（30）から吐出された高温のガス冷媒）の一部をレヒート熱交換器（83）へ供給するための回路を構成している。
【００５２】
冷媒回路（20）には、各種のセンサ類も設けられている。具体的に、高圧ガス管（24）には、高圧圧力センサ（60）と高圧圧力スイッチ（61）と吐出温度センサ（62）とが設けられている。高圧圧力センサ（60）は、圧縮機（30）から吐出される高圧ガス冷媒の圧力を検出する。吐出温度センサ（62）は、圧縮機（30）から吐出される高圧ガス冷媒の温度を検出する。蒸発器（33）と圧縮機（30）の間の低圧ガス管（28）には、低圧圧力センサ（63）と吸入温度センサ（64）とが設けられている。低圧圧力センサ（63）は、圧縮機（30）に吸入される低圧ガス冷媒の圧力を検出する。吸入温度センサ（64）は、圧縮機（30）に吸入される低圧ガス冷媒の温度を検出する。
【００５３】
過冷却分岐管（26）には、２次側通路（46）の流入側に流入温度センサ（65）が、２次側通路（46）の流出側に流出温度センサ（66）がそれぞれ設けられている。流入温度センサ（65）は、２次側通路（46）に流入する直前の冷媒の温度を検出する。また、流出温度センサ（66）は、２次側通路（46）を流出した直後の冷媒の温度を検出する。
【００５４】
低圧液管（27）には、蒸発器（33）の流入側に流入温度センサ（67）が設けられている。この流入温度センサ（67）は、蒸発器（33）に流入する直前の冷媒の温度を検出する。低圧ガス管（28）には、蒸発器（33）の流出側に流出温度センサ（68）が設けられている。この流出温度センサ（68）は、蒸発器（33）から流出した直後の冷媒の温度を検出する。
【００５５】
コンテナの庫外には、凝縮器（31）の吸込側に外気温度センサ（69）が設けられている。外気温度センサ（69）は、凝縮器（31）に吸い込まれる直前の庫外空気の温度（即ち、外気の温度）を検出する。コンテナの庫内には、蒸発器（33）の吸込側に吸込温度センサ（70）が設けられ、蒸発器（33）の吹出側に吹出温度センサ（71）が設けられている。吸込温度センサ（70）は、蒸発器（33）を通過する直前の庫内空気の温度を検出する。吹出温度センサ（71）は、蒸発器（33）を通過した直後の庫内空気の温度（吹出空気温度SS）を検出する。
【００５６】
コンテナ用冷凍装置（10）には、冷媒回路（20）を制御するための制御部としてのコントローラ（100）が設けられている。そして、コントローラ（100）には、後述する異冷媒充填検出動作を行うための、特性判定部（101）と、警告部（102）と、データ記憶部（103）と、起動許可部（104）と、起動禁止部（105）と、運転スイッチ（106）とが設けられている。異冷媒充填検出動作の詳細については後述する。なお、運転スイッチ（106）は、本発明に係る運転開始指示部を構成している。
【００５７】
−運転動作−
次に、上記コンテナ用冷凍装置（10）の運転動作について説明する。コンテナ用冷凍装置（10）の運転動作は、「冷却運転」と「デフロスト運転」と「除湿運転」に大別される。冷却運転は、コンテナの庫内を比較的低い温度に冷却する運転である。つまり、冷却運転は、コンテナ本体（1a）に収容された輸送物（例えば生鮮食品等）を保存するために庫内を冷蔵／冷却する運転である。また、デフロスト運転は、圧縮機（30）の吐出冷媒をホットガスバイパス回路（22）に流して、蒸発器（33）の伝熱管等の表面に付着した霜を融かすための運転（除霜運転）である。デフロスト運転は、例えば冷却運転の開始から所定の設定時間が経過する毎に実行され、デフロスト運転の終了後には、冷却運転が再開される。
【００５８】
本実施形態では、デフロスト運転と除湿運転の動作については省略し、冷却運転の基本動作について説明する。
【００５９】
冷却運転における基本的な冷却動作では、第１開閉弁（47）および第２開閉弁（49）が開放状態となり、第３開閉弁（53）および第５開閉弁（81）が閉鎖状態となる。第４開閉弁（38）は全開状態となり、過冷却膨張弁（48）および主膨張弁（32）の開度が適宜調節される。また、圧縮機（30）、庫外ファン（35）および庫内ファン（36）が運転される。
【００６０】
圧縮機（30）で圧縮された冷媒は、凝縮器（31）で凝縮した後、レシーバ（41）を通過する。レシーバ（41）を通過した冷媒は、一部が低圧液管（27）をそのまま流れ、残りは過冷却分岐管（26）に分流する。低圧液管（27）を流れた冷媒は、主膨張弁（32）で減圧された後、蒸発器（33）を流れる。蒸発器（33）では、冷媒が庫内空気から吸熱して蒸発する。これにより、庫内空気が冷却される。蒸発器（33）で蒸発した冷媒は、圧縮機（30）に吸入されて再び圧縮される。
【００６１】
過冷却分岐管（26）に分流した冷媒は、過冷却膨張弁（48）を通過して中間圧にまで減圧された後、過冷却熱交換器（44）の２次側通路（46）を流れる。過冷却熱交換器（44）では、１次側通路（45）を流れる冷媒と２次側通路（46）を流れる冷媒とが熱交換する。その結果、１次側通路（45）の冷媒が過冷却される一方、２次側通路（46）の冷媒が蒸発する。２次側通路（46）を流出した冷媒は、圧縮機（30）の中間ポートより中間圧力状態の圧縮室に吸入される。
【００６２】
−異冷媒充填検出方法−
次に、上記コンテナ用冷凍装置（10）における異冷媒充填検出方法について図３および図４を参照しながら説明する。異冷媒充填検出方法は、冷媒回路（20）内に規定冷媒（充填する冷媒として規定された冷媒）とは異なる冷媒が充填されたことを検出する方法である。本実施形態では、規定冷媒はＲ１３４ａである。なお、ここでいう冷媒の種類はあくまでも一例である。
【００６３】
〈全量充填する場合〉
冷媒回路（20）内に冷媒を全量充填する場合では、図３のフローチャートに示すような異冷媒充填検出動作が行われる。
【００６４】
先ず、作業者は、冷媒を充填する前に、冷媒回路（20）内の空気を除去するために冷媒回路（20）内を真空引きする。この真空引きにより、冷媒回路（20）における冷媒配管内の圧力がゼロ以下となり、その圧力値が特性判定部（101）に記録される。具体的には、低圧圧力センサ（63）の検出値（ゼロ以下の値）が特性判定部（101）に記録される（ステップＳＴ１）。
【００６５】
次に、作業者は冷媒回路（20）内に冷媒を全量充填する（ステップＳＴ２、充填工程）。冷媒回路（20）では、冷媒が充填されることにより、冷媒配管内の圧力が上昇する。そして、特性判定部（101）では、低圧圧力センサ（63）のゼロ以下の検出値が記録されていることをもって、特性判定工程が行われる（ステップＳＴ３）。特性判定工程では、先ず、充填された冷媒の圧力および温度から、その冷媒の飽和温度特性が導出される。そして、導出された飽和温度特性が予め設定された規定冷媒の飽和温度特性と同じであるかが判定される。具体的に、低圧圧力センサ（63）の検出値が、充填された冷媒の圧力として特性判定部（101）に入力される。また、外気温度センサ（69）の検出値が、充填された冷媒の温度として特性判定部（101）に入力される。特性判定部（101）は、入力された圧力および温度から、充填された冷媒の飽和温度特性を導出する。
【００６６】
冷媒は、冷媒回路（20）内に充填される際、僅かに気化して温度が変化するため、充填された後の冷媒の温度を例えば吸入温度センサ（64）や吐出温度センサ（62）で検出しても、あまり正確な温度を検出することができない。したがって、充填される前の温度、即ち庫外に置かれていたときの温度として、外気温度センサ（69）の検出値を用いて正確な冷媒の温度を取得するようにしている。これにより、充填された冷媒の飽和温度特性を正確に導出することができる。なお、低圧圧力センサ（63）ではなく、高圧圧力センサ（60）の検出値が、充填された冷媒の圧力として特性判定部（101）に入力されてもよい。
【００６７】
特性判定部（101）で飽和温度特性が異なると判定されると、警告部（102）が、充填された冷媒は規定冷媒と異なることを警告する（ステップＳＴ４、警告工程）。警告されると、作業者は、冷媒回路（20）内の冷媒を回収して再び真空引きを行う。そして、再びステップＳＴ１へ移行する。以上の動作により、規定冷媒と異なる冷媒が充填されたことを検出できる。
【００６８】
一方、特性判定部（101）で飽和温度特性が同じであると判定されると、作業者によって、冷媒充填情報がデータ記憶部（103）に手動入力される（ステップＳＴ５、入力工程）。冷媒充填情報は、充填した「冷媒の種類」、「充填量」、「全量充填であること」、充填した冷媒の「ボンベＮｏ.」、充填した作業者の「所属会社名（修理業者コード）」および「氏名」である。なお、冷媒充填情報は、「冷媒の種類」以外はこれに限るものではなく、また「冷媒の種類」のみでもよい。なお、冷媒充填情報として、充填した冷媒の「ボンベＮｏ.」、充填した作業者の「所属会社名（修理業者コード）」および「氏名」を入力することで、万一規定冷媒と異なる冷媒を充填して運転してしまい、冷凍能力の低下や冷凍機器の損壊等が発生した場合に、責任の所在を明確にすることができる。
【００６９】
続いて、起動許可部（104）において、データ記憶部（103）に入力された「冷媒の種類」が、規定冷媒の種類と同じであるかが判定される（ステップＳＴ６、種類判定工程）。起動許可部（104）は、種類が同じと判定すると、「運転開始許可」信号をデータ記憶部（103）へ出力して記録する（ステップＳＴ７、運転許可工程）。これにより、コンテナ用冷凍装置（10）の運転開始、即ち圧縮機（30）の起動が許可された状態となる。
【００７０】
一方、起動許可部（104）は、種類が異なると判定すると、その信号を起動禁止部（105）へ出力する。そして、起動禁止部（105）では、データ記憶部（103）に入力された「冷媒の種類」が、規定冷媒とは異なる所定冷媒の種類と同じであるかが判定される（ステップＳＴ８、種類判定工程）。本実施形態では、上記所定冷媒はＲ４０である。このＲ４０は、規定冷媒のＲ１３４ａの飽和温度特性とほぼ同等の飽和温度特性を有しており、本実施形態のコンテナ用冷凍装置（10）と相性があまり良くない冷媒である。
【００７１】
起動禁止部（105）において、データ記憶部（103）に入力された冷媒の種類が所定冷媒の種類（Ｒ４０）ではないと判定されると、警告部（102）が、充填された冷媒は規定冷媒と異なることを警告する（ステップＳＴ４）。また、起動禁止部（105）は、データ記憶部（103）に入力された冷媒の種類が所定冷媒の種類（Ｒ４０）と同じであると判定すると、「運転開始不許可」信号をデータ記憶部（103）へ出力して記録する（ステップＳＴ、強制禁止工程）。これにより、コンテナ用冷凍装置（10）の運転開始、即ち圧縮機（30）の起動が禁止された状態となる。つまり、データ記憶部（103）では「運転開始許可」および「運転開始不許可」のうち一方だけが記録され、「運転開始不許可」が記録されているときは圧縮機（30）を起動することができないようになっている。
【００７２】
そして、作業者が運転スイッチ（106）をＯＮにすると（ステップＳＴ１０）、データ記憶部（103）に「運転開始許可」の記録があるか否かが起動許可部（104）によって判定される（ステップＳＴ１１）。「運転開始許可」の記録がある場合は、そのまま圧縮機（30）が起動してコンテナ用冷凍装置（10）の運転が開始される。「運転開始許可」の記録がない場合、即ち「運転開始不許可」の記録がある場合、圧縮機（30）は起動されず、作業者は「運転開始不許可」の記録を解除する作業を行う。例えば、作業者は、冷媒回路（20）の冷媒を回収して真空引きを行い、規定冷媒を充填し直す作業を行う。つまり、ステップＳＴ１へ戻る作業が行われる。これにより、ステップＳＴ７において「運転開始許可」が記録されると、「運転開始不許可」の記録が解除されたことになる。
【００７３】
〈追加充填する場合〉
次に、冷媒回路（20）内に冷媒を追加充填する場合では、図４のフローチャートに示すような異冷媒充填検出動作が行われる。ここでは、運転中にガス欠が検知されて追加充填を行う場合について説明する。
【００７４】
例えば上述した冷却運転中にガス欠が検知されると（ステップＳＴ２０）、作業者は、冷却運転を継続させながら（圧縮機（30）が駆動している状態で）冷媒回路（20）内に冷媒を追加充填する（ステップＳＴ２１）。ガス欠は、冷媒回路（20）内の冷媒量が不足している状態である。
【００７５】
本実施形態では、例えば、圧縮機（30）を起動してから所定時間内（例えば、２秒以内）に低圧圧力センサ（63）の検出値が異常低下した場合や、吐出温度センサ（62）の検出値が異常上昇した場合、主膨張弁（32）の開度が所定値以上に大きくなった場合などにコントローラ（100）が「ガス欠」の警報をだす。作業者は、その警報により追加充填を行う。なお、ガス欠は、作業者の判断でも検知することができる。例えば、リキッドインジケーターにフラッシュ（泡）が流れると、作業者はガス欠であると判断する。
【００７６】
作業者は、追加充填を行うと、上述した全量充填の場合と同様に、冷媒充填情報をデータ記憶部（103）に手動入力する（図３のステップＳＴ５、入力工程）。そして、ステップＳＴ５以降は、図３におけるステップＳＴ７，１０，１１，１２を除いて、上述した全量充填の場合と同様の動作が行われる。
【００７７】
〈通常の運転開始〉
通常の運転開始を行う場合、図３に示すステップＳＴ１０，１１，１２の動作が行われる。つまり、作業者が運転スイッチ（106）をＯＮすると、データ記憶部（103）に「運転開始許可」の記録があるか否かが起動許可部（104）によって判定される（ステップＳＴ１１）。そして、「運転開始許可」の記録がある場合は、圧縮機（30）が起動され冷却運転が開始される。また、「運転開始許可」の記録がない場合、即ち「運転開始不許可」の記録がある場合は、圧縮機（30）は起動されず、その場合、作業者は「運転開始不許可」の記録を解除する作業を行う。
【００７８】
例えば、冷媒を充填した港と異なる港において、冷媒充填者と異なる作業者が運転スイッチ（106）をＯＮした場合でも、「運転開始許可」の記録をもって確実にコンテナ用冷凍装置（10）を運転開始（圧縮機（30）を起動開始）させることができる。また、「運転開始不許可」の記録がある場合には、その記録をもってコンテナ用冷凍装置（10）の運転開始（圧縮機（30）の起動開始）を確実に阻止することができる。
【００７９】
−実施形態の効果−
以上のように、上記実施形態によれば、冷媒回路（20）内に充填された冷媒の飽和温度特性を導出し、その導出された飽和温度特性が規定冷媒の飽和温度特性と異なる場合には、警告するようにしたため、冷媒回路（20）に規定冷媒とは異なる冷媒が充填されたことを確実に検出することができる。その結果、規定冷媒と異なる冷媒が充填されたことによる冷凍能力の低下や高圧の異常上昇といった不具合を未然に防止することができる。よって、信頼性の高いコンテナ用冷凍装置（10）を提供することができる。
【００８０】
さらに、上記実施形態によれば、冷媒回路（20）に充填された冷媒の飽和温度特性が規定冷媒の飽和温度特性と同じである場合は、充填された冷媒の種類を入力し、その入力された種類が規定冷媒以外の所定冷媒と同じである場合には、コンテナ用冷凍装置（10）の運転開始（即ち、圧縮機（30）の起動）を強制禁止するようにした。これにより、規定冷媒の飽和温度特性と同等の飽和温度特性を有する冷媒であっても、コンテナ用冷凍装置（10）における圧縮機（30）等の冷凍機器と相性の良くない冷媒が充填されたことを確実に検出することができる。また、万一、作業者がコンテナ用冷凍装置（10）の運転を無理やり開始しようとしても、コンテナ用冷凍装置（10）の運転開始を確実に阻止することができる。その結果、冷凍機器の損壊等を未然に防止することができる。したがって、より信頼性の高いコンテナ用冷凍装置（10）を提供することができる。
【００８１】
また、上記実施形態では、ガス欠の検知により追加充填する場合にも、充填した冷媒の種類を入力し、その入力した冷媒の種類が規定冷媒と異なる場合は、警告を行ったり、「運転開始不許可」を記録するようにしたため、上述した不具合を未然に防止することができる。
【００８２】
また、上記実施形態では、冷媒充填情報として、充填した冷媒の種類以外に、充填した冷媒のボンベ番号、充填した作業者の所属会社名および氏名を手動入力して記録するようにした。そのため、万一、規定冷媒と異なる冷媒が充填されてしまった場合でも、入力された作業者の氏名等によって責任の所在を明確にすることができる。
【００８３】
−その他の実施形態−
上記実施形態の異冷媒充填検出動作では、以下のような構成としてもよい。
【００８４】
例えば、図３に示すステップＳＴ３において、充填された冷媒の飽和温度特性が規定冷媒の飽和温度特性と同じであると判定されると、作業者は自ら、充填した冷媒の種類が予め設定された規定冷媒の種類と同じであるか否かを確認する作業を行う。そして、作業者は、冷媒の種類が同じであることを確認すると、コンテナ用冷凍装置（10）の運転開始を行う。即ち、作業者は、運転スイッチ（106）をＯＮして圧縮機（30）の起動開始を指示する。また、作業者は、冷媒の種類が異なっていることを確認すると、コンテナ用冷凍装置（10）の運転はしない。
【００８５】
なお、上記実施形態では、コンテナ用冷凍装置（10）について説明したが、本発明はこれに限らず、空気調和装置などの他の冷凍装置についても適用することができる。
【産業上の利用可能性】
【００８６】
以上説明したように、本発明は、冷媒が循環して冷凍サイクル行う冷媒回路を備えた冷凍装置および異冷媒充填検出方法について有用である。
【符号の説明】
【００８７】
１０      コンテナ用冷凍装置
２０      冷媒回路
３０      圧縮機
１０１    特性判定部
１０２    警告部
１０３    データ記憶部
１０４    起動許可部
１０５    起動禁止部
【図１】
0005445577.tif 000002
【図２】
0005445577.tif 000003
【図３】
0005445577.tif 000004
【図４】
0005445577.tif 000005